(57)【要約】【課題】被呼側の画像通信装置において、画像データを受信することができない事情がある場合に、発呼側が送信する画像データの宛先を他の装置の宛先へ自動的に振り替えさせる画像通信装置を提供すること。【解決手段】ＳＩＰによりメディアセッションを確立した上で画像データを受信する画像通信装置において、発呼側からＩＮＶＩＴＥを受信した場合に（Ｔ１）、画像データを受信するか否かを画像メモリ５の空き容量、記録用紙の残量等が所定値以上あるか否かに基づき画像データを受信するか否かを決定し、画像データを受信しないと決定した場合、発呼側に対して他の装置により代替受信する旨及び代替受信する他の装置の宛先情報をＳＩＰの応答コード３０２を利用して通知する（Ｔ２）、ことを特徴とする画像通信装置１。【選択図】図４
2006211475.tif 000002
【特許請求の範囲】
【請求項１】
呼制御プロトコルによりメディアセッションを確立した上で画像データを受信する手段を備える画像通信装置において、発呼側からメディアセッションの確立要求を受信した場合に、画像データを受信するか否かを所定の受信条件に基づき決定する決定手段と、画像データを受信しないと決定した場合、前記発呼側に対して他の装置により代替受信する旨及び代替受信する前記他の装置の宛先情報を呼制御プロトコルにより通知する代替受信通知手段と、を備えることを特徴とする画像通信装置。
【請求項２】
前記所定の受信条件は、受信画像データを蓄積する記憶資源の空き容量又は受信画像データを印字出力するための記録用紙の残量であることを特徴とする請求項１記載の画像通信装置。
【請求項３】
前記所定の受信条件は複数種あり、各種受信条件に対応付けて代替受信する装置の宛先情報を登録する宛先登録手段を更に備えており、
前記決定手段は、少なくとも何れか１の受信条件に基づき画像データを受信しないことを決定し、
前記代替受信通知手段が呼制御プロトコルにより通知する前記宛先情報は、前記決定手段による前記決定の基礎とされた受信条件に対応付けられた宛先情報である、ことを特徴とする請求項１記載の画像通信装置。
【発明の詳細な説明】
【技術分野】
【０００１】
本発明は、ＳＩＰ（Session  Initiation  Protocol）等の呼制御プロトコルを利用して、画像データの送受信を行う画像通信装置に関する。
【背景技術】
【０００２】
近年、ＳＩＰ等の呼制御プロトコルによりメディアセッションを確立して、画像データの送受信を行うＩＰファクシミリ装置が提案されている（例えば、特許文献１乃至３参照。）。かかるＩＰファクシミリ装置では、Ｇ３ファクシミリ装置と同様に宛先情報を電話番号にて指定することができるので、ユーザはＧ３ファクシミリ装置と同様の感覚で送信操作を行うことができるという利点がある。併せて、Ｇ３ファクシミリよりも通信コストが節減されるという利点もある。
【特許文献１】特開２００４−１７２８５３号公報
【特許文献２】特開２００４−２２１９４５号公報
【特許文献３】特開２００４−２６０５３５号公報
【発明の開示】
【発明が解決しようとする課題】
【０００３】
ＩＰファクシミリ装置は、Ｇ３ファクシミリ装置と同様に、画像データの送受信を行う場合、受信側の装置は、受信した画像データをメモリに蓄積することによって保存するか、記録用紙に印字することによって保存する。したがって、受信した画像データを蓄積するためのメモリの空き容量が少ないときや受信した画像データを印字出力するための記録用紙がなくなっているときは、画像データを受信して保存することができない。
【０００４】
ところで、発呼側から送信される画像データの宛先を他の装置の宛先に変更することができれば、受信側ユーザにとって都合が良いことがしばしばある。例えば、昼間に会社で勤務し夜間に自宅に帰宅する一般的なユーザの場合、昼間は会社に設置しているＩＰファクシミリ装置により、夜間は自宅に設置しているＩＰファクシミリ装置により原稿を受信することができれば便利である。
【０００５】
受信側装置で送信側から送られてきた画像データを一旦受信し、これを所望の宛先へ転送する機能を有するＧ３ファクシミリ装置や電子メールを利用したインターネットファクシミリ装置等は既に多数提案されている。しかし、何れの装置も画像データを自動転送する機能を実装するためには、画像データを受信して転送処理を完了するまでの間、画像データを一時的に保存しておく必要があり、そのためのメモリ容量を余分に確保しておく必要がある。
【０００６】
本発明は、上述の問題に鑑みてなされたものであり、被呼側のファクシミリ装置等の画像通信装置において、画像データを受信することができない事情がある場合に、発呼側が送信する画像データの宛先を他の装置の宛先へ自動的に振り替えさせることを可能とする画像通信装置を提供することを目的とする。また、記憶資源の容量アップを必要とせずに、送信側から送られてくる画像データを受信側ユーザが所望する装置に自動的に振り替えて受信させることができる画像通信装置を提供することを目的とする。
【課題を解決するための手段】
【０００７】
請求項１記載の画像通信装置は、呼制御プロトコルによりメディアセッションを確立した上で画像データを受信する手段を備える画像通信装置において、発呼側からメディアセッションの確立要求を受信した場合に、画像データを受信するか否かを所定の受信条件に基づき決定する決定手段と、画像データを受信しないと決定した場合、前記発呼側に対して他の装置により代替受信する旨及び代替受信する前記他の装置の宛先情報を呼制御プロトコルにより通知する代替受信通知手段と、を備えることを特徴としている。
【０００８】
請求項２記載の画像通信装置は、請求項１記載の画像通信装置において、前記所定の受信条件は、受信画像データを蓄積する記憶資源の空き容量又は受信画像データを印字出力するための記録用紙の残量であることを特徴としている。
【０００９】
請求項３記載の画像通信装置は、請求項１記載の画像通信装置において、前記所定の受信条件は複数種あり、各種受信条件に対応付けて代替受信する装置の宛先情報を登録する宛先登録手段を更に備えており、前記決定手段は、少なくとも何れか１の受信条件に基づき画像データを受信しないことを決定し、前記代替受信通知手段が呼制御プロトコルにより通知する前記宛先情報は、前記決定手段による前記決定の基礎とされた受信条件に対応付けられた宛先情報である、ことを特徴としている。
【発明の効果】
【００１０】
請求項１記載の画像通信装置によれば、本発明に係る画像通信装置が被呼側となり、画像データを受信できない事情があるとき、発呼側が送信しようとしている画像データを自動的に他の装置に代替受信させることができる。したがって、受信側では他の装置によって画像データを受信することができるとともに、被呼側装置の受信エラーの発生を未然に防止することができる。一方、発呼側においては、再度送信処理をやり直す負担がなくなるというメリットがある。
【００１１】
また、請求項１記載の画像通信装置は、従来の画像データ転送機能を備えた装置のように、一旦画像データを受信した後にこれを転送するものではなく、発呼側の宛先を変更させることにより、画像データの受け取り側を変更させるものであることから、画像データの受信を他の装置に代替受信させる際に自己のメモリを消費することがない。したがって、他の装置に代替受信させる機能を実装するために、画像通信装置の記憶資源の容量を増加させる必要がなく、装置の製造コストの低減が図られる。
【００１２】
請求項２記載の画像通信装置によれば、受信画像データを蓄積するメモリの残量が少ない場合や受信画像データを印字出力するための記録用紙の残量が少ない場合に、発呼側から送られてくる画像データを自動的に他の装置に代替受信させることができる。したがって、受信側では他の装置によって画像データを受信することができるとともに、被呼側装置の受信エラーの発生や、メモリ不足、記録用紙不足等に起因する種々のトラブルの発生を未然に防止することができる。
【００１３】
請求項３記載の画像通信装置によれば、画像データを受信できない事情に応じて代替受信させるべき装置をユーザにより選別することが可能となる。例えば画像データを受信できない事情がメモリ不足である場合には、比較的大容量のメモリを装備した装置を代替先として登録しておくことができる。画像データを受信できない事情が記録用紙サイズ不足である場合は、比較的大きな記録用紙収納カセットを装備した装置や常に記録用紙不足を来さないように管理の行き届いた装置を代替受信先として登録しておくことができる。
【発明を実施するための最良の形態】
【００１４】
以下、本発明の実施の形態に係る画像通信装置として、呼制御プロトコルを利用して原稿の画像データを送受信するＩＰファクシミリ通信機能、Ｇ３ファクシミリ通信機能、クライアント装置からの要求に応じて前記各種のファクシミリ通信を行うファクシミリサーバ機能等を備える複合機型のファクシミリ装置を例に挙げて説明する。
【００１５】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、時刻管理部１３、ＬＡＮインタフェース１４を備え、各部２乃至１４はバスＢによって接続されている。
【００１６】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、後述するテーブルＴ１、Ｔ２が格納されている。画像メモリ５は、コーデック８によって圧縮符号化された画像データ等を記憶する。画像メモリ５は、ファクシミリ装置１が受信画像データを蓄積する記憶資源であり、その空き容量は、ＣＰＵ２により監視されている。
【００１７】
モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。
【００１８】
読取部９は、原稿の画像データを読取るものであり、例えば、ＣＣＤカラーラインイメージセンサ、Ａ／Ｄコンバータ、画像処理回路等で構成される。記録部１０は、給紙カセットから記録用紙を取り出して、画像データを記録用紙上に記録する。なお、記録部１０には、記録用紙の残量を検出する記録用紙残量検出部１０ａとしての残量検出センサが設けられており、前記記録用紙残量検出部１０ａとＣＰＵ２とで記録用紙の残量検出手段を構成する。すなわち、記録用紙残量検出部１０ａが記録用紙の残量に基づき出力する信号によりＣＰＵ２は、記録用紙の残量を判断する。
【００１９】
表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、スタートキー、文字入力キー、ファンクションキーなど各種の操作キーを具備し、ユーザによる各種の操作は、この操作部１２において行われる。時刻管理部１３は、現在時刻を管理する回路等からなり、ＣＰＵ２の要求に応じて現在時刻情報を提供する。
【００２０】
ＬＡＮインタフェース１４は、ファクシミリ装置１とＬＡＮ（ローカルエリアネットワーク）１６とを接続するインターフェースであり、これを通じてファクシミリ装置１は、図２に示すように、同じくＬＡＮ１６に接続された他のファクシミリ装置２１、２２等と画像データの送受信を行う。また、ファクシミリ装置１は、ルータ１９を通じてＩＰ網１７上の装置と通信することができ、呼制御プロトコルを実装する相手との間で、メディアセッションを確立して画像データの送受信を行うことができる。なお、本実施の形態においては、図２に示すＬＡＮ１６には、ＳＩＰによりメディアセッションを確立して画像データを送受信する機能及びＧ３ファクシミリ通信機能を備えた複合機型のファクシミリ装置２１Ａ乃至２１Ｃ、２２Ｄ、２２Ｅ等が接続されている。また、ＬＡＮ１６に接続された各ファクシミリ装置１、２１Ａ、２１Ｂ等には、それぞれグループ属性が登録されている。
【００２１】
上記構成を備えるファクシミリ装置１は、ＴＣＰ／ＩＰ（Transmission  Control  Protocol/Internet  Protocol）、ＳＩＰ、ＲＴＰ（Real-time  Transport  Protocol）、ＳＤＰ（Session  Description  Protocol）などを実装して、ＳＩＰによりメディアセッションを確立した上で画像データを相手先と送受信することができる。本実施の形態では呼制御プロトコルとしてＳＩＰを例に挙げて説明するが、メディアセッションを確立するのに先立ってメッセージをやり取りするものであれば、ＳＩＰ以外の呼制御プロトコルを適用することも可能である。
【００２２】
上記構成及び通信機能を備えるファクシミリ装置１は、発呼側からメディアセッションの確立要求としてのセッション参加リクエスト「ＩＮＶＩＴＥ」を受信すると、後述する所定の受信条件に基づき画像データを受信するか否かを決定する。受信すると決定した場合は、発呼側とメディアセッションを確立して画像データの受信処理を行う。一方、受信しないと決定した場合は、発呼側に対して他の装置により画像データを代替受信する旨及び代替受信する前記他の装置の宛先情報をＳＩＰの応答処理、例えばＳＩＰのレスポンスコード３０２の送信により通知する。
【００２３】
ファクシミリ装置１は、前記処理動作を実行するために、図３に示すような、テーブルＴ１（以下「代替受信機能設定テーブルＴ１」という。）をＲＡＭ４に記憶している。代替受信機能設定テーブルＴ１は、受信条件の種別（図示「条件種別」欄に格納された種別情報）ごとに、画像データを受信するための受信条件のしきい値を「受信条件値」欄に、代替受信させる装置（以下「代替受信装置」ともいう。）の宛先情報を「代替受信装置宛先情報」欄に格納している。受信条件の種別としては、画像メモリ５の空き容量に関する「メモリ残量」、記録部１０の記録用紙の残量に関する「記録用紙残量」、及び着信時間帯に関する「時間帯」が登録されている。受信条件のしきい値のうち、メモリ残量のしきい値としては例えば「１ＭＢ」が、記録用紙残量のしきい値としては例えば「１０％」が、時間帯のしきい値としては例えば「８：００〜２０：００」が登録されている。「代替受信装置宛先情報」欄には、通信種別識別子「ＳＩＰ：」が付加された「０５０」で始まるＩＰ電話番号が登録されているほか、通信種別識別子「ＦＡＸ：」が付加されたファクシミリ番号が登録されるようになっている。なお、「代替受信装置宛先情報」欄には、１又は複数の宛先情報が登録できるようになっている。また、登録する宛先情報は、上記に限らず通信装置を特定できる宛先情報であればよい。例えば、ＩＰアドレス、ドメイン名、その他の通信の宛先情報（例えばＥメールアドレス等）などであってもよい。
【００２４】
上述の代替受信機能設定テーブルＴ１では、受信条件のしきい値、代替受信させる装置の宛先情報は、操作部１２における所定操作により自在に追加、削除、変更等を行うことができるようになっている。図示テーブルＴ１では、受信条件の種別の数は３つとなっているがこれを１つ又は２つとしてもよく、あるいは、上記３つに限らずファクシミリ装置１において設定及び検出可能な受信条件をさらに採用してもよい。
【００２５】
次に、上記構成及び通信機能を備えるファクシミリ装置１が自装置１と同様にＴＣＰ／ＩＰ、ＳＩＰ、ＲＴＰ、ＳＤＰなどを実装した画像通信装置から画像データを受信する際に実行する処理動作について、図４に示すシーケンス図及び図５に示すフローチャートに基づいて説明する。なお、これらの図に基づいて説明するファクシミリ装置１の処理動作は、ＲＯＭ３に格納された制御プログラムに基づいて制御手段であるＣＰＵ２が発行する命令に従って実行される。
【００２６】
ファクシミリ装置１が、発呼側のファクシミリ装置（以下「発呼側装置」という。）から図示しないＳＩＰサーバを介して（以下、発呼側と被呼側の間で通信に介在するＳＩＰサーバの説明は省略する。）、セッション参加リクエスト「ＩＮＶＩＴＥ」を受信すると（Ｔ１、Ｓ１：ＹＥＳ）、画像データを自装置１で受信するか否かを所定の受信条件に基づき決定する（Ｓ２）。すなわち、ＣＰＵ２は、画像メモリ５の残量を検出し、それが代替受信機能設定テーブルＴ１において設定された所定のしきい値「１ＭＢ」以上あり、記録用紙残量検出部１０ａにより検出した記録用紙の残量が同テーブルＴ１において設定された所定のしきい値「１０％（最大収容枚数の１０％）」以上あり、時刻管理部１３により取得した現在時刻が設定された所定の時間帯「８：００〜２０：００」である場合は、自装置１で画像データを受信することを決定する。
【００２７】
一方、いずれかの受信条件のしきい値を満たしていない場合は、自装置１で画像データを受信せず、他の装置に代替受信させることを決定する。
【００２８】
自装置１で画像データを受信することを決定した場合は（Ｓ２：ＹＥＳ）、「ＩＮＶＩＴＥ」に対する成功応答コード「２００」を発呼側装置へ返信し（Ｓ３）、「ＡＣＫ」を発呼側装置から受信した後、発呼側装置との間でメディアセッションを確立し（Ｓ４）、メディアセッション上で発呼側装置から送出される画像データを受信する（Ｓ５）。画像データの受信完了後は、発呼側装置からセッション終了リクエスト「ＢＹＥ」を受信し、該リクエストに対する応答コード「２００」を発呼側装置へ返信してセッションが終了される。
【００２９】
一方、前記Ｓ２において、自装置１で画像データを受信せずに、他の装置に代替受信させると決定した場合は（Ｓ２：ＮＯ）、代替受信機能設定テーブルＴ１を参照して他の装置の宛先情報が登録されているか否かを判断する（Ｓ６）。他の装置の宛先情報が登録されていない場合、つまり、何れの受信条件の種別に関しても装置の宛先情報が登録されていない場合は、発呼側装置に対して画像データを受信できない旨を通知する。具体的にはその旨を示すエラー応答コードを返信する（Ｓ７）。
【００３０】
一方、前記Ｓ６において、他の装置の宛先情報が登録されていると判断した場合（Ｓ６：ＹＥＳ）、代替して受信させるべき他の装置を決定する（Ｓ８）。すなわち、前記Ｓ２において自装置１で画像データを受信せずに他の装置に代替受信させることを決定するための基礎（根拠）とされた受信条件の種別に対応付けてテーブルＴ１に登録された宛先情報を代替受信させる装置として決定する。ここで、代替受信させることを決定するための基礎とされた受信条件の種別が複数あり、それぞれにつき宛先情報が登録されている場合は、複数の装置を代替受信させる装置として決定する。一方、前記Ｓ２で自装置１で画像データを受信せずに他の装置に代替受信させることを決定するための基礎とされた受信条件の種別に対応する宛先情報が登録されていない場合は、他の受信条件の種別に対応付けて登録された宛先情報を代替受信させる装置として決定する。なお、他の受信条件の種別に対応付けて登録された宛先情報が複数ある場合は、当該複数の宛先全て又は１部を代替受信させる装置として決定する。
【００３１】
次いで、ファクシミリ装置１は、発呼側装置に対して、他の装置により画像データを代替受信する旨及び代替受信する他の装置の宛先情報を通知するためのリダイレクト応答情報を生成する（Ｓ９）。例えば、図４に示すメッセージ内容のように、ＳＩＰレスポンスコード「３０２」に代替受信先の宛先情報Ｍ１を付加したリダイレクト応答情報Ｍを生成する。そして、生成したリダイレクト応答情報Ｍを発呼側装置に返信して、他の装置により画像データを代替受信する旨及び代替受信させる他の装置の宛先情報を通知する（Ｔ２、Ｓ１０）。
【００３２】
一方、前記リダイレクト応答情報Ｍを受信した発呼側装置は、受信したメッセージＭを解析して、それが呼び出し先が直接画像データを受信せず他の装置により画像データを代替受信する旨を示しているものであることを検出すると、更に、リダイレクト応答情報に含まれている代替受信する装置の宛先情報を抽出する。そして、発呼側装置は、抽出した宛先情報とメディアセッションを確立すべく、当該抽出した宛先情報に対して「ＩＮＶＩＴＥ」を送信し（Ｔ３）、成功応答コード「２００」を受信すると（Ｔ４）、「ＡＣＫ」を送信して（Ｔ５）、当該装置との間でメディアセッションを確立し、画像データを送信する。双方で画像データの授受が完了した後は、発呼側装置は、「ＢＹＥ」を代替受信装置へ送信し（Ｔ６）、応答コード「２００」を代替受信装置から受信した後（Ｔ７）、確立されたセッションが切断される。なお、リダイレクト応答情報に代替受信する装置の宛先情報が複数記載されている場合には、複数の宛先に対して上記処理動作（Ｔ３乃至Ｔ７）を実行して画像データを送信するようにしてもよい。また、抽出された宛先情報がＩＰ電話番号ではなくその他の種類の宛先情報、例えば、公衆回線用ファクシミリ番号等である場合であって、送信側装置が当該宛先情報から特定される通信プロトコルに対応するは、当該通信プロトコル、例えばＧ３ファクシミリ通信等、により画像データを当該宛先情報の装置に対して送信する。
【００３３】
以上の説明から明らかなように、本発明の第１の実施の形態に係るファクシミリ装置１によれば、画像データを受信することができない事情がある場合に、発呼側から送られてくる画像データを自動的に他の装置に代替受信させることができる。したがって、例えば、画像メモリ５の空き容量が少ない場合や記録用紙の残量が少ない場合に自動的に他の装置に画像データを代替受信させることによって、自装置１の画像メモリ５の空き容量を常に一定容量確保することができる。これにより、画像メモリの空き容量不足により生じ得る問題の発生が未然に防止される。また、一定時間内にユーザが別の場所に設置されているファクシミリ装置の近くにいるような場合は、その時間帯に着信した通信に関する画像データを自動的に別の場所に設置されているファクシミリ装置により代替して受信させることができ、ユーザの利便性が向上する。
【００３４】
また、ファクシミリ装置１によれば、画像データの受信条件の種別ごとに代替して画像データを受信させる装置の宛先情報を登録することができるので、当該受信条件の種別ごとに、ユーザにとって最も都合のよい装置を代替受信させる装置として選ぶことができる。
【００３５】
つぎに、本発明の第２の実施の形態に係るファクシミリ装置について、図６及び図７のフローチャートに基づいて説明する。第２の実施の形態に係るファクシミリ装置１Ａは、受信条件の種別に応じて代替受信装置を決定するものではなく、ネットワーク上で自装置１Ａと同一グループに登録された１又は複数の装置の中から代替して受信させる装置を決定するものである。そのため、ファクシミリ装置１Ａは、図８に示すように、各装置の宛先情報に対応付けてグループ情報、優先順位情報を登録した宛先情報テーブルＴ２をＲＡＭ４に記憶しており、代替受信させる装置を決定する際に該テーブルＴ２を参照する。なお、本実施の形態においては、ファクシミリ装置１Ａは、例えば「営業部」グループとして登録されているものとし、当該「営業部」グループ内において優先順位情報が登録されているものとする。以下、第１の実施の形態に係るファクシミリ装置１との相違点について主に説明し、同様の構成及び処理動作については、図面において同一符号を付してその説明を省略する。
【００３６】
ファクシミリ装置１Ａは、「ＩＮＶＩＴＥ」を受信し（Ｓ１）、代替受信させると決定した後（Ｓ２）、Ｓ６で自装置１と同一グループ（例えば「営業部」）内に他の装置の宛先情報が登録されているか否かをテーブルＴ２を参照して判断する。
【００３７】
Ｓ６において、他の装置が登録されていると判断した場合は（Ｓ６：ＹＥＳ）、ＲＡＭ４上で変数「Ｎ」に「１」を設定し（Ｓ１０１）、優先順位がＮ番目の宛先情報の装置と通信して当該装置が画像データを受信することが可能な状態にあるか否かを判断する（Ｓ１０２）。例えば図２に示すようなネットワーク構成において、ファクシミリ装置１Ａは、同一グループ内でＮ番目の優先順位が登録されている他の装置２１（例えば宛先情報「０５０１２３４５６７」のファクシミリ装置２１Ａ）とＬＡＮ１６を通じて通信を行い、画像データを受信できる状態にあるか否かを問い合わせる。例えば、ファクシミリ装置１Ａは、画像データを受信できる状態にあるか否かの情報を要求する所定コマンドをファクシミリ装置２１Ａに対して送信し、当該装置から返信された情報に基づき判断する。
【００３８】
Ｎ番目の優先順位が登録されたファクシミリ装置２１Ａは、図７に示すように、前記コマンドをファクシミリ装置１Ａから受信すると（Ｓ２０１：ＹＥＳ）、自身が画像データを受信できる状態にあるか否かを判断する（Ｓ２０２）。該判断は、例えば、第１の実施の形態のＳ２で説明したような方法により判断することが可能である。
【００３９】
Ｓ２０２において、ファクシミリ装置２１Ａが画像データを受信できる状態にあると判断すれば（Ｓ２０２：ＹＥＳ）、受信できる状態にある旨を示す情報をファクシミリ装置１Ａに返信する（Ｓ２０３）。一方、ファクシミリ装置２１Ａが画像データを受信できる状態にないと判断すれば（Ｓ２０２：ＮＯ）、受信できない状態にある旨を示す情報をファクシミリ装置１Ａに返信する（Ｓ２０４）。なお、ファクシミリ装置１Ａとファクシミリ装置２１Ａ間の通信プロトコルは上記Ｓ２０１乃至Ｓ２０４の処理動作を実現できるものであればよい。
【００４０】
ファクシミリ装置１Ａは、Ｓ１０３において、優先順位がＮ番目の他の装置が画像データを受信できる状態にあると判断したときは（Ｓ１０３：ＹＥＳ）、前記Ｓ９、Ｓ１０の処理動作を実行する。すなわち、画像データの受信が可能であると判断した他の装置の宛先情報を付加したリダイレクト応答情報を生成し、生成したリダイレクト応答情報を発呼側装置に対して送信する。
【００４１】
Ｓ１０３において、優先順位がＮ番目の他の装置が画像データを受信できる状態にないと判断した場合は（Ｓ１０３：ＮＯ）、次いで、優先順位が「Ｎ＋１」番目の他の装置の宛先情報が登録されているか否かを判断し（Ｓ１０４）、登録されていない場合は（Ｓ１０４：ＮＯ）、Ｓ７へ処理を移行して発呼側装置へエラー応答を返信する。一方、優先順位が「Ｎ＋１」番目の他の装置の宛先情報が登録されている場合は（Ｓ１０４：ＹＥＳ）、変数「Ｎ」に「１」を加算した後（Ｓ１０５）、処理をＳ１０２へ戻す。
【００４２】
前記Ｓ１０１乃至Ｓ１０５の処理動作は、複数の装置の宛先情報が登録されている場合に、優先順位の高い順に画像データの受信が可能か否かを問い合わせるためのアルゴリズムの１例である。したがって、かかる優先順位にしたがった問合せ処理が可能であれば、その他のアルゴリズムを採用してもよい。
【００４３】
なお、本発明の第２の実施の形態においては、電話帳テーブルＴ２に他の装置の宛先情報のほか、グループ情報が登録されていることを前提にして説明したが、グループ情報を登録せずに、優先順位情報だけを宛先情報に対応つけて登録することも可能である。
【００４４】
また、本発明の第２の実施の形態においては、電話帳テーブルＴ２に他の装置の宛先情報のほか、優先順位が登録されていることを前提にして説明したが、優先順位の登録を行わずに、電話帳テーブルＴ２の行番号「００１」、「００２」など、所定の情報に従って自動的に優先順位を決定するようにしてもよい。
【００４５】
以上の説明から明らかなように、本発明の第２の実施の形態に係るファクシミリ装置によれば、代替して受信させる複数の装置の宛先情報を登録しておくことにより、登録した１の装置が偶々画像データを受信できる状態にない場合であっても、登録したその他の装置によって、画像データを代替受信することができるという利点がある。また、複数の装置の宛先情報とともに優先順位を登録しておくことにより、ユーザにとって都合のよい装置から優先的に代替受信させる装置を選ぶことができる。
【産業上の利用可能性】
【００４６】
本発明は、例えば、ＳＩＰにより確立したメディアセッションで画像データを受信する画像通信装置に適用することができる。
【図面の簡単な説明】
【００４７】
【図１】本発明の実施の形態に係るファクシミリ装置（画像通信装置）の構成例等を示した図である。
【図２】本発明の実施の形態に係るファクシミリ装置（画像通信装置）、代替受信させる装置等が接続されたネットワーク構成例を示した図である。
【図３】代替受信機能設定テーブルの一例を示した図である。
【図４】発呼側装置と本発明の実施の形態に係るファクシミリ装置（画像通信装置）と代替受信装置との間で形成される通信手順を示したシーケンス図である。
【図５】本発明の実施の形態に係るファクシミリ装置（画像通信装置）がメディアセッションの確立要求を受信した場合に実行する処理動作を示したフローチャートである。
【図６】第２の実施の形態に係るファクシミリ装置（画像通信装置）がメディアセッションの確立要求を受信した場合に実行する処理動作を示したフローチャートである。
【図７】他の装置が本発明の第２の実施の形態にかかるファクシミリ装置から問合せを受けた際に実行する処理動作を示したフローチャートである。
【図８】本発明の第２の実施の形態に係る電話帳テーブルの一例を示した図である。
【符号の説明】
【００４８】
１、１Ａ、    ファクシミリ装置（画像通信装置）
２    ＣＰＵ
３    ＲＯＭ
４    ＲＡＭ
５    画像メモリ
１０    記録部
１０ａ    記録用紙残量検出部
１３    時刻管理部
２１Ａ乃至２１Ｃ、２２Ｄ、２２Ｅ    他の装置
【図１】
2006211475.tif 000003
【図２】
2006211475.tif 000004
【図３】
2006211475.tif 000005
【図４】
2006211475.tif 000006
【図５】
2006211475.tif 000007
【図６】
2006211475.tif 000008
【図７】
2006211475.tif 000009
【図８】
2006211475.tif 000010